(57)【要約】【課題】  ハウジングに侵入した液体を適切に排出するヘッドアップディスプレイ装置を提供する。【解決手段】  本実施形態に係るＨＵＤ装置１は、表示光Ｌを発する表示器２と、表示光Ｌを反射する反射鏡３と、反射鏡３が反射した表示光Ｌを受けて虚像を表示するコンバイナ４と、表示器２と反射鏡３とを収容するハウジング６と、を備えたヘッドアップディスプレイ装置である。ハウジング６は、反射鏡３が反射した表示光Ｌを出射する開口６１３と、開口６１３から侵入した液体を排出する排出口６００と、排出口６００を隠蔽し反射鏡３側から表示器２側に向かって下方に傾斜する第１斜面６１６と、第１斜面６１６の下端側から排出口６００に向かって下方に傾斜する第２斜面６１７と、を有する。【選択図】  図４
2016222064.tif 000002
【特許請求の範囲】
【請求項１】
表示光を発する表示器と、
前記表示光を反射する反射鏡と、
前記反射鏡が反射した前記表示光を受けて虚像を表示するコンバイナと、
前記表示器と前記反射鏡とを収容するハウジングと、を備えたヘッドアップディスプレイ装置であって、
前記ハウジングは、前記反射鏡が反射した前記表示光を出射する開口と、前記開口から侵入した液体を排出する排出口と、前記排出口を隠蔽し前記反射鏡側から前記表示器側に向かって下方に傾斜する第１斜面と、前記第１斜面の下端側から前記排出口に向かって下方に傾斜する第２斜面と、を有する
ことを特徴とするヘッドアップディスプレイ装置。
【発明の詳細な説明】
【技術分野】
【０００１】
本発明は、ハウジングに侵入した液体を適切に排出するヘッドアップディスプレイ装置に関する。
【背景技術】
【０００２】
従来のヘッドアップディスプレイ装置（ＨＵＤ装置）は、例えば、特許文献１に開示されたものがある。このＨＵＤ装置は、表示器から発された表示光を反射部によって反射した後、この反射された表示光をハウジングの開口から出射して、コンバイナに虚像を表示するものである。
【先行技術文献】
【特許文献】
【０００３】
【特許文献１】特開２０１５−４９２７号公報
【発明の概要】
【発明が解決しようとする課題】
【０００４】
しかしながら、表示光を出射するハウジングの開口から液体が侵入し、ハウジング内部の機器に悪影響を与える虞があった。
【０００５】
本発明は、上述したハウジングに侵入した液体を適切に排出するヘッドアップディスプレイ装置を提供することを目的とする。
【課題を解決するための手段】
【０００６】
本発明に係るヘッドアップディスプレイ装置は、
表示光を発する表示器と、
前記表示光を反射する反射鏡と、
前記反射鏡が反射した前記表示光を受けて虚像を表示するコンバイナと、
前記表示器と前記反射鏡とを収容するハウジングと、を備えたヘッドアップディスプレイ装置であって、
前記ハウジングは、前記反射鏡が反射した前記表示光を出射する開口と、前記開口から侵入した液体を排出する排出口と、前記排出口を隠蔽し前記反射鏡側から前記表示器側に向かって下方に傾斜する第１斜面と、前記第１斜面の下端側から前記排出口に向かって下方に傾斜する第２斜面と、を有する。
【発明の効果】
【０００７】
本発明によれば、ハウジングに侵入した液体を適切に排出するヘッドアップディスプレイ装置を提供できる。
【図面の簡単な説明】
【０００８】
【図１】本発明の一実施形態の斜視図。
【図２】同実施形態の上面図。
【図３】同実施形態の主な構成を示すＡ−Ａ断面図。
【図４】同実施形態のハウジングの構成を示すＡ−Ａ断面図。
【図５】同実施形態のハウジングの構成を示すＢ−Ｂ断面図。
【発明を実施するための形態】
【０００９】
本発明を適用した一実施形態であるＨＵＤ装置１を図面を参照して説明する。
【００１０】
このＨＵＤ装置１は、図３に示すように、表示器２と、反射鏡３と、コンバイナ４と、回路基板５と、ハウジング６と、から主に構成される。
【００１１】
表示器２は、例えば、ＬＥＤなどの光源素子が実装された光源基板と、光源基板が発した光の照度の分布を均一にするためのレンズや拡散板からなる光学部材と、この光学部材を通過した光源基板からの光によって照明される液晶パネルと、これらの部材を収容するケース体と、からなる。表示器２は、車両の走行速度などの車両情報を表す表示光Ｌを発する。
【００１２】
反射鏡３は、例えば、ポリカーボネート（ＰＣ）等の樹脂部材の表面に、アルミニウム等の金属を蒸着させた平面の反射面を形成した平面鏡である。反射鏡３は、表示器２が発した表示光Ｌをコンバイナ４へ反射する。
【００１３】
コンバイナ４は、例えば、曲面を有する板状のポリメタクリル酸メチル樹脂（ＰＭＭＡ）などの透光性樹脂の主面（反射鏡３の反射面と略対向する面）に半透過反射層が成膜されたハーフミラーにより構成される。コンバイナ４は、主面に反射鏡が反射した表示光Ｌを受けて、虚像を表示する。
【００１４】
回路基板５は、ＣＰＵと、ＣＰＵが動作させるプログラムを格納するメモリと、タイマと、外部周辺機器などと通信するための入出力部と、が集積されたマイクロコントローラが実装されている。回路基板５は、ＨＵＤ装置１全体の制御を行う制御手段であり、回路基板５上に実装されたコネクタ５０に接続されたケーブルを介して車内ネットワークと接続し、この車内ネットワークから得た車両情報を表示器２に表示させる。
【００１５】
ハウジング６は、表示器２と、反射鏡３と、回路基板５と、を収容し、コンバイナ４をハウジング６から突出するように支持するケース体であり、例えば、ＰＣやポリプロピレン（ＰＰ）などの不透過な合成樹脂で構成される。ハウジング６は、下ケース６０と、中ケース６１と、上ケース６２と、からなる。
【００１６】
下ケース６０には、図４に示すように、ハウジング内に侵入した液体を排出するための排出口６００と、回路基板５のコネクタ５０をハウジング外に露出する開口と、が底面に形成されている。
【００１７】
中ケース６１には、図４に示すように、第１開口６１０と、反射鏡載置部６１１と、コンバイナ載置部６１２と、第２開口６１３と、第３開口６１４と、遮光壁６１５と、第１斜面６１６と、第２斜面６１７と、が形成されている。
【００１８】
第１開口６１０は、表示器２が発する表示光Ｌを出射するための出射口となる開口であり、表示器２が固定されている。
【００１９】
反射鏡載置部６１１には、反射鏡３が第１開口６１０に固定された表示器２の表示面と略対向するように固定されている。
【００２０】
コンバイナ載置部６１２には、コンバイナ４が反射鏡３が反射した表示光Ｌを受けるように固定されている。
【００２１】
第２開口６１３は、反射鏡３が反射した表示光Ｌを出射するための出射口となる開口である。第２開口６１３の周縁には、図５に示すように、第２開口６１３に向かって傾斜する傾斜面６１３ａが形成されている。
【００２２】
第３開口６１４は、コンバイナ載置部２の近傍に形成された開口である。第３開口６１４は、表示器２から反射鏡３に向かう孔となっており、この第３開口６１４から中ケース６１に侵入した液体が表示器２に撥ね掛かることを抑制している。
【００２３】
遮光壁６１５は、表示器２に太陽光等の外光が入射することを防ぐ斜め下方に垂下する壁である。遮光壁６１５の上面には、第２開口６１３と第３開口６１４に向かって傾斜する斜面が形成されており、遮光壁６１５の上面に注がれた液体は第２開口６１３または第３開口６１４に向かって流れる。遮光壁６１５が第３開口６１４に向かって傾斜しており、第３開口６１４は表示器２側から反射鏡３側に向かって傾斜する孔となっていることから、第３開口６１４は、コンバイナ４を視認する視認者から見えにくくなっており、美観を損なうことがない。また、遮光壁６１５の表面は、太陽光などの外光が反射することを抑制する黒色の塗料が塗布されていると共に、疎水性を高めるためのコーティングが施されている。
【００２４】
第１斜面６１６は、排出口６００を隠蔽し、反射鏡載置部６１１から第１開口６１０に向かって下降する傾斜面である。第２開口６１３，第３開口６１４から侵入した液体は、この第１斜面６１６によって後述する第２斜面６１７に導かれる。また、第１斜面６１６は、図５に示すように、中央が窪んだ円弧状となっており、少量の液体でも第１斜面６１６に留まることなく第２斜面６１７へ流れる。第１斜面６１６の表面には、太陽光などの外光が反射することを抑制する黒色の塗料が塗布されていると共に、疎水性を高めるためのコーティングが施されている。
【００２５】
第２斜面６１７は、第１斜面６１６の下端側から排出口６００に向かって下降する傾斜面である。第１斜面６１６から流れてきた液体は、この第２斜面６１７によって排出口６００へ導かれる。また、第２斜面６１７は、図５に示すように、中央が窪んだ円弧状となっており、少量の液体でも第２斜面６１７に留まることなく排出口６００へ流れる。また、第２斜面６１７の表面には、疎水性を高めるためのコーティングが施されている。
【００２６】
上ケース６２は、下ケース６０と嵌合して上部を覆う。この上ケース６２には、反射鏡３からコンバイナ４に至る光路を確保するための開口が形成されており、この開口からコンバイナ４が突出している。
【００２７】
以上のように、本実施形態に係るＨＵＤ装置１は、表示光Ｌを発する表示器２と、表示光Ｌを反射する反射鏡３と、反射鏡３が反射した表示光Ｌを受けて虚像を表示するコンバイナ４と、表示器２と反射鏡３とを収容するハウジング６と、を備えたヘッドアップディスプレイ装置１であって、ハウジング６は、反射鏡３が反射した表示光Ｌを出射する開口６１３と、開口６１３から侵入した液体を排出する排出口６００と、排出口６００を隠蔽し反射鏡３側から表示器２側に向かって下方に傾斜する第１斜面６１６と、第１斜面６１６の下端側から排出口６００に向かって下方に傾斜する第２斜面６１７と、を有する。
この構成によれば、第２開口６１３から侵入した液体は、第１斜面６１６と第２斜面６１７によって排出口６００に導かれ、排出口６００からヘッドアップディスプレイ装置１外部へ排出することができる。また、排出口６００は、第１斜面６１６によって隠蔽されるため、美観を損なうことがない。
【００２８】
以上、本発明の一実施形態を説明した。本発明は上記の実施形態（図面の内容を含む）によって限定されるものではない。本発明の主旨に従う範囲で、上記の実施形態に変更（構成要素の削除も含む）を加えることができる。
【符号の説明】
【００２９】
１      ：ヘッドアップディスプレイ装置（ＨＵＤ装置）
２      ：表示器
３      ：反射鏡
４      ：コンバイナ
５      ：回路基板
６      ：ハウジング
６０    ：下ケース
６００  ：排出口
６１    ：中ケース
６１０  ：第１開口
６１１  ：反射鏡載置部
６１２  ：コンバイナ載置部
６１３  ：第２開口
６１４  ：第３開口
６１５  ：遮光壁
６１６  ：第１斜面
６１７  ：第２斜面
６２    ：上ケース
【図１】
2016222064.tif 000003
【図２】
2016222064.tif 000004
【図３】
2016222064.tif 000005
【図４】
2016222064.tif 000006
【図５】
2016222064.tif 000007